(57)【要約】【課題】  曲げモーメントを確実に伝達することが可能な木製の柱と梁との接合であって、雨水が接合部分から柱の内部へ浸入するのを軽減できる接合構造を提供する。【解決手段】  柱１にねじ込まれたスクリュー部材１１の端面とその周囲の柱１の水平面との境界に跨るようにシール部材３を当接し、このシール部材３の上に配置した接合金具１３をボルト１４で柱１に固着するので、スクリュー部材１１の端面とその周囲の柱１の水平面との境界に存在する微小な隙間にシール部材が密接してこの隙間を埋めることとなる。これにより、雨水が接合部から浸入して柱の内部に浸透することを抑制でき、防水効果の高い柱１と梁２の接合が可能となる。【選択図】  図２
2006307569.tif 000002
【特許請求の範囲】
【請求項１】
立設される木製の柱の上端部には、該柱の軸線方向にスクリュー部材がねじ込まれ、
該スクリュー部材の上端面は、ねじ込まれた位置の柱の水平面と高さがほぼ一致し、
該スクリュー部材の上端面には軸線方向にねじ穴が設けられており、
前記ねじ穴に螺合されたボルトによって、前記柱の上端部に接合金具が固着され、
該接合金具とこの上に載置された梁とが結合されている柱と梁との接合構造であって、
前記スクリュー部材の端面とその周囲の柱の水平面との間に跨るようにシール部材が当接され、
前記接合金具の前記スクリュー部材と対向する面が前記シール部材の上面に押圧されていることを特徴とする柱と梁との接合構造。
【請求項２】
前記シール部材は、合成ゴム又は合成樹脂の発泡体層と生ゴム層とを積層して貼り合わせたものであり、
生ゴム層が前記スクリュー部材の端面及び柱の水平面に当接されていることを特徴とする請求項１に記載の柱と梁との接合構造。
【請求項３】
前記柱の、前記スクリュー部材がねじ込まれた位置の周囲には、遮水性を有する被覆剤が塗布されていることを特徴とする請求項１に記載の柱と梁との接合構造。
【発明の詳細な説明】
【技術分野】
【０００１】
本願発明は、木造建築物における柱と梁との接合構造に係り、特に柱と梁との相対的な変形が拘束され、双方間で曲げモーメントの伝達が生じる柱と梁とを接合する構造に関する。
【背景技術】
【０００２】
一般に普及している木造建築物では古くから柱と梁との接合を、柱に設けたほぞ穴に梁の端部を加工したほぞを差し入れることによって行っている。このような接続構造では、曲げモーメントに抵抗することができず、複数の柱および複数の梁（胴差、軒けた、土台等の横方向に架設される部材を含む）で形成される軸組みは、変形が生じ易い。このため、柱間の壁内に筋交いを配置し、地震時等の水平方向力が作用したときの変形に抵抗するものとなっている。
【０００３】
このように、従来の木造建築物では筋交いを設ける壁体を確保する必要があるために、開口部の設定や屋内空間の利用に支障を生じることがある。このような事情から、柱と梁とをいわゆる剛結合、つまり曲げモーメントの伝達が生じる結合とし、軸組みをラーメン構造とすることで筋交いの量を低減する提案がなされている。
【０００４】
柱と梁とを剛結合とする構造には、金属の棒状部材に螺旋状の張り出し部を設けたスクリュー部材を木部材にねじ込み、このスクリュー部材を介して木製の柱と梁とを接合するものがある。このような構造は、例えば特許文献１に記載されており、図９に示すように、柱１０１と梁１０２とを継ぎ手金具１０３を介して接合するものである。
【０００５】
この接合構造では、柱１０１に側面から一対の棒状材１１１（スクリュー部材）が所定間隔をおいて水平方向にねじ込まれており、これらの棒状材１１１の両端部には軸線方向に所定長のネジ穴が穿設されている。そして、このネジ穴にボルト１１３を螺合して締め付けることにより、柱１０１に継ぎ手金具１０３が固着されている。一方、この柱１０１に接続される梁１０２の端面にも同様の棒状材１１２が所定間隔をおいて水平方向にねじ込まれ、これらの棒状材１１２の端面に設けられたネジ穴にボルト１１４を螺合して同様の継ぎ手金具１０３が固着されている。
【０００６】
柱１０１と梁１０２とに固着された継ぎ手金具１０３、１０３は、両方に跨るように当接された取付用鉄板１１５、１１６をボルト１１７，１１８で締め付けて接合され、双方に固着された継ぎ手金具１０３、１０３を介して柱１０１と梁１０２とが接合される。
したがって、柱１０１と梁１０２との間に曲げモーメントが作用したときに、並列に配置された棒状材１１１、１１２の一方に引張力が、他方には圧縮力が作用し、これらが棒状材１１１、１１２の全長にわたる周面から柱１０１又は梁１０２に伝達され、柱１０１又は梁１０２には局所的に大きな応力が集中することがなく、相互間で曲げモーメントの伝達が可能となる。
【特許文献１】特許第２７９８２３９号公報
【発明の開示】
【発明が解決しようとする課題】
【０００７】
しかしながら、上記のような従来から知られている柱と梁の接合構造では、次のような改良が望まれる課題がある。
上記特許文献１に記載の接合構造のように、柱１０１又は梁１０２に棒状材１１１（スクリュー部材）をねじ込むためには、木部材に所定の大きさの孔を穿設し、さらに螺旋状の溝すなわち太径の雌ネジを予め形成し、この雌ネジに螺合するように雄ネジ状の棒状材１１１をねじ込む。このため、棒状材１１１をねじ込んだ柱１０１又は梁１０２とこの棒状材１１１との間には微小の隙間が生じる。したがって、現場での作業中に降雨等があり、接合部が降雨にさらされると、上記隙間から雨水が浸入し、棒状材１１１の周面を伝わって木部材の内部まで水が浸透することがある。特に、柱の上に梁を架け渡すように載置して接合しようとするときに、立設された柱の頂部が降雨にさらされると、雨水が棒状材と木部材との間に浸入しやすい。このように雨水の浸入があると、木部材の腐食が生じやすくなったり、木部材の表面又は内装材が湿気を帯びることになり、内装材の施工管理及び施工後の管理が難しくなることがある。
【０００８】
本願発明は、上記のような事情に鑑みてなされたものであり、その目的は、曲げモーメントを確実に伝達することができるように木製の柱と梁とを接合する構造であって、現場作業中に降雨等があっても、雨水が柱と梁との接合部分から柱の内部へ浸入することが防止される接合構造を提供することである。
【課題を解決するための手段】
【０００９】
上記課題を解決するために請求項１に係る発明は、  立設される木製の柱の上端部には、該柱の軸線方向にスクリュー部材がねじ込まれ、  該スクリュー部材の上端面は、ねじ込まれた位置の柱の水平面と高さがほぼ一致し、  該スクリュー部材の上端面には軸線方向にねじ穴が設けられており、  前記ねじ穴に螺合されたボルトによって、前記柱の上端部に接合金具が固着され、  該接合金具とこの上に載置された梁とが結合されている柱と梁との接合構造であって、  前記スクリュー部材の端面とその周囲の柱の水平面との間に跨るようにシール部材が当接され、  前記接合金具の前記スクリュー部材と対向する面が前記シール部材の上面に押圧されている柱と梁との接合構造を提供する。
【００１０】
この接合構造では、柱の上端面からねじ込まれたスクリュー部材の端面とその周囲の柱の水平面との境界に跨るようにシール部材が当接され、接合金具によって強く押し付けられるので、スクリュー部材とその周囲の柱の水平面との間に隙間があっても、シール部材によって遮蔽される。したがって、降雨があっても雨水が隙間に流入するのが防止され、柱の内部に雨水が浸透するのを防ぐことができる。
【００１１】
請求項２に係る発明は、請求項１の記載の柱と梁との接合構造において、  前記シール部材は、合成ゴム又は合成樹脂の発泡体層と生ゴム層とを積層して貼り合わせたものであり、  生ゴム層が前記スクリュー部材の端面及び柱の水平面に当接されているものとする。
【００１２】
この接合構造では、スクリュー部材の端面と柱の水平面とに跨って押し付けられた生ゴムが変形し、柱とスクリュー部材との隙間に入り込む。また、柱の水平面に木目によって凹凸が生じていると凹部に生ゴムが押し込まれ、雨水の浸透を防止する。また、この生ゴムの層と積層された合成ゴム又は合成樹脂の発泡体層は、接合金具によってシール部材がスクリュー部材の端面及び柱の水平面に押し付けられたときに弾性的に変形し、生ゴムのほぼ全域に均等に近い力を作用させて、生ゴムを有効に隙間及び凹部に充填する。これにより、雨水の進入路が塞がれ、柱とスクリュー部材との間に雨水が浸透するのが防止される。
【００１３】
請求項３に係る発明は、請求項１の記載の柱と梁との接合構造において、  前記柱の、前記スクリュー部材がねじ込まれた位置の周囲には、遮水性を有する被覆剤が塗布されているものとする。
【００１４】
木材は木目の方向に沿って水が浸透しやすい性質を有するが、柱の水平面に遮水性を有する被覆剤が塗布されることにより、柱の軸線方向への雨水の浸透が防止される。また、被覆剤を塗布することにより、この上にシール部材が圧接されたときの密着性が良好となり、シール部材と柱の水平面との接触部付近から柱とスクリュー部材との間に雨水が浸入するのが有効に抑止される。
【発明の効果】
【００１５】
以上説明したように、本願発明によれば、接合金具とスクリュー部材がねじ込まれた柱の水平面との間にシール部材を介挿して接合金具を柱に固着するので、スクリュー部材とその周囲の柱と間に存在する微少な隙間に雨水が浸入することを抑止できる。したがって、施工中に降雨にさらされるようなことがあっても、柱の内部に雨水が浸透するのを防止することができる。
【発明を実施するための最良の形態】
【００１６】
以下、本願発明の実施の形態を図に基づいて説明する。
図１は、本願発明の柱と梁の接合構造が好適に用いられる木造建築物の構造躯体を示す概略斜視図である。
この構造躯体は、木製柱１と木製梁２とを曲げモーメントの伝達が可能に接合されたラーメン架構体を複数組み合わせて形成されている。それぞれラーメン架構体を構成する柱１は、断面の寸法が梁２の軸線方向に大きく、この軸線と直角方向に小さい扁平な部材である。また、梁２も断面の鉛直方向の寸法が大きく、横方向は小さく扁平な部材を用いている。したがって、各ラーメン架構体は一方向の曲げに抵抗する構造となっている。これらのラーメン架構体は、いずれも柱１の上面に梁２を当接して接合するいわゆる梁勝ち構造となっており、梁と梁とを接合することによって複数のラーメン架構体が互いに連結される。
【００１７】
図２は、図１に示すラーメン架構体で用いられる柱１と梁２との接合構造であって、本願に係る発明の一実施形態を示す分解斜視図である。また、図３は、同じ接合構造の断面図であり、ラーメン架構体の軸線と平行な断面を示すものである。
この接合構造では、柱１の上端面における長辺方向の両端部に切り欠き部１ｂが設けられ、中央部１ａは梁２の下面に当接されている。柱１の切り欠き部１ｂからは、この柱１の軸線方向に２本の第１のスクリュー部材１１、１１がねじ込まれている。
【００１８】
一方、梁２の対応する位置にも鉛直方向に２本の第２のスクリュー部材１２、１２がねじ込まれており、これら第１及び第２のスクリュー部材１１、１２には、端面から軸線方向にネジ穴１１ｂ、１２ｂが穿設されている。そして、柱の切り欠き部１ｂ内に配置された接合金具１３が、ボルト１４によって第１のスクリュー部材１１に結合され、頭なしボルト１５とナット１６とによって第２のスクリュー部材１１に結合されている。接合金具１３は、高さが柱１に設けられた切り欠き部１ｂの深さと一致するように形成されており、柱１と梁２とはスクリュー部材１１，１２及び接合金具１３を介して接合されるとともに、柱の中央部１ａは梁２の下面に当接される。そして、接合金具１３と柱１の第１のスクリュー部材１１がねじ込まれた水平面１ｃとの間には、シール部材１７が介挿されるとともに、柱の水平面１ｃには遮水性を有する被覆剤が塗布され、柱１の内部に雨水等が浸入するのを防止する措置が施されている。
【００１９】
上記第１及び第２のスクリュー部材１１、１２は同じものであり、図４に側面図及び正面図を示すように、棒状の鋼部材の側面に螺旋状の張り出し部１１ａを設けたものであり、両端面には前述のように軸線方向のネジ穴１１ｂが設けられている。それぞれのスクリュー部材１１、１２は、図２に示すように、柱１又は梁２に鉛直方向の孔を設け、さらに螺旋状の溝を切削した後にねじ込まれたものである。
【００２０】
上記接合金具１３は、図５に示すように、上下で水平に配置され互い対向する上板部１３ａと下板部１３ｂと、上板部１３ａと下板部１３ｂとの縁部を互いに結合する側板部１３ｃとを備え、上板部１３ａには上ボルト孔１３ｄが、下水平板部には下ボルト孔１３ｅがそれぞれ設けられている。上板部１３ａは、梁２にねじ込まれた第２のスクリュー部材１２の下端面に当接され、上ボルト孔１３ｄに挿通された頭なしボルト１５とナット１６とで締め付けて固着される。
【００２１】
上記頭なしボルト１５は、図６に示すように、全長にわたって雄ねじが形成されたボルト（長ねじボルト）であり、第２のスクリュー部材１２の端部のネジ穴にねじ込まれるとともに、螺合されたナット１６によって上板部１３ａを第２のスクリュー部材１２の端部に締め付けることができる。また、この頭なしボルト１５は、先端に近づくにしたがって径が縮小されている。
【００２２】
接合金具１３の下板部１３ｂは、下ボルト孔１３ｅに挿通されたボルト１４によって柱１にねじ込まれた第１のスクリュー部材１１に固着されるものである。この下板部１３ｂと第１のスクリュー部材１１の端面との間にはシール部材１７が介挿される。このシール部材１７は、図７に拡大断面図を示すように、第１のスクリュー部材１１の端面とその周囲の柱１の水平面１ｃとの境界に跨るように介挿され、下板部１３ｂにより押圧されて、第１のスクリュー部材１１の端面とこのスクリュー部材１１がねじ込まれた柱１の水平面１ｃに密着している。
【００２３】
上記シール部材１７は、図８に示すように、生ゴム層１７ａと合成ゴムの発泡体層１７ｂとが積層して貼り合わせられ、環状に切り抜かれたシート状の部材であり、内径は第１のスクリュー部材１１の軸部（螺旋状の張り出し部分を含まない棒状部分）の外径よりやや小さく、外径は第１のスクリュー部材１１の螺旋状の張り出し部の外径よりやや大きくなっている。また、シール部材１７の表裏の両面には離型紙１７ｃが貼り付けられており、この離型紙１７ｃを剥ぐことにより、柱１及び接合金具１３のそれぞれに貼付することができるものである。
【００２４】
次に、上記柱１と梁２とを接合する工程について説明する。
柱１は、工場等における加工段階において、端部に所定の寸法の切り欠き部１ｂを設ける。そして、この切り欠き部１ｂ内から軸線方向に穴を切削し、第１のスクリュー部材１１をねじ込む。切り欠き部内の第１のスクリュー部材１１がねじ込まれた水平面及び梁２と接合される端面には、遮水性を有する被覆剤（図示せず）を塗布する。本実施例では、エバーウッドＡ−１００（登録商標・シントーファイン株式会社製）を使用しているが、干割れ防止成分や防腐成分を含有した木材用の他の薬剤を使用することもできる。
【００２５】
その後、シール部材１７を、スクリュー部材１１の端面とその周囲の柱１の水平面１ｃとの境界に跨るように貼り付ける。このときシール部材１７は、生ゴム層１７ａがスクリュー部材１１の端面及び柱１の水平面１ｃに当接するように貼り付ける。そして、接合金具１３の下板部１３ｂに設けられた下ボルト孔１３ｅに挿通したボルト１４を第１のスクリュー部材のネジ穴１１ｂに螺合し、締め付けて切り欠き部１ｂ内に接合金具１３を固定する。
【００２６】
これにより、接合金具１３と柱１の間に介挿されているシール部材１７は押圧されて柱１と接合金具１３とに密着する。また、ボルト１４で接合金具１３を締め付けることにより、スクリュー部材１１と柱１の水平面１ｃとの境界を跨ぐように貼り付けられた生ゴム層１７ａが押しつぶされて境界に存在する隙間を埋める。さらに、生ゴム層１７ａに貼り合わされた合成ゴムの発泡体層１７ｂは、接合金具１３と第１のスクリュー部材１１がねじ込まれた柱１の端面間で弾性的に変形し、生ゴム層３ａのほぼ全域に押圧力が作用して生ゴムが隙間及び柱の水平面１ｃに存在する凹部に押し入れられるように作用する。
また、スクリュー部材１１がねじ込まれた水平面１ｃには被覆剤（図示せず）を塗布しているので、シール部材１７の生ゴムの密着性が良くなっており、防水効果が増大する。
【００２７】
梁２も工場等における作業により、所定の位置に第２のスクリュー部材１２をねじ込んでおく。梁２の高さは、第２のスクリュー部材１２の長さとほぼ一致するように設定されており、第２のスクリュー部材１２は梁２を鉛直方向に貫通し、上下の端面はそれぞれ梁２の上面及び下面とほぼ一致するようにねじ込まれる。
【００２８】
柱１及び梁２を組み立てる現場では、柱１を所定の位置に立設する。一方、梁２にねじ込まれた第２のスクリュー部材１２の下端のネジ穴１２ｂには、頭なしボルト１５をねじ込み、先端を下方に突き出しておく。この梁２は立設された柱１の上方に吊り揚げて、第２のスクリュー部材１２に螺合された頭なしボルト１５の先端が、柱１に固定された接合金具１３と対向する位置に支持する。そして、梁２をゆっくりと下降させながら柱１に固定された接合金具１３の上ボルト孔１３ｄに頭なしボルト１５を先端から挿通する。このとき、頭なしボルト１５は先端部の径が小さくなっており、上ボルト孔１３ｄに容易に導くことができる。そして、さらに梁２をゆっくりと下降させることによって、頭なしボルト先端の傾斜面１５ａが上ボルト孔１３ｄの内周面にガイドされ、梁２は正確な位置で柱上に載置される。
【００２９】
その後、柱１に固定された接合金具１３の側面の開放された部分から頭なしボルト１５の先端にナット１６を螺合させる。このナット１６を強く締め付けることにより、接合金具１３は梁２にねじ込まれた第２のスクリュー部材１２と強固に接合される。
【００３０】
上記のように柱１と梁２とが接合されることにより、梁２の下面は、柱１の中央部１ａに圧接されるとともに、梁２にねじ込まれた第２のスクリュー部材１２、１２は、柱断面の長辺方向における両端部で第１のスクリュー部材１１、１１と接合金具１３を介して連結される。これにより、柱１と梁２との接合部で双方間の変形が拘束され、曲げモーメントが伝達される。
【００３１】
また、上記のように柱１と梁２とを接合する工程で、屋根が葺かれる前に降雨にさらされるようなことがあっても、柱１にねじ込まれた第１のスクリュー部材１１を伝って柱１の内部に雨水が浸透するのを防止することができる。
【図面の簡単な説明】
【００３２】
【図１】本願発明の柱と梁との接合構造が好適に用いられる木造建築物の構造躯体を示す概略斜視図である。
【図２】本願に係る発明の一実施形態である柱と梁との接合構造を示す分解斜視図である。
【図３】本願に係る発明の一実施形態である柱と梁との接合構造を示す断面図であり、ラーメン架構体の軸線と平行な断面を示すものである。
【図４】図２及び図３に示す柱と梁との接合構造で用いられるスクリュー部材の側面図及び正面図である。
【図５】図２及び図３に示す柱と梁との接合構造で用いられる接合金具の概略斜視図である。
【図６】図２及び図３に示す柱と梁との接合構造で用いられる頭なしボルトの概略斜視図及び底面図である。
【図７】図２及び図３に示す柱と梁との接合構造の拡大断面図である。
【図８】図２及び図３に示す柱と梁との接合構造で用いられるシール部材の平面図及び側面図である。
【図９】従来の柱梁接合構造の一例を示す部分断面図である。
【符号の説明】
【００３３】
１：柱、    １ａ：柱端面の中央部、    １ｂ：切り欠き部、    ２：梁、
１１：第１のスクリュー部材、    １１ａ：螺旋状の張り出し部、    １１ｂ：ネジ穴、    １２：第２のスクリュー部材、    １２ｂ：ネジ穴、
１３：接合金具、    １３ａ：上板部、    １３ｂ：下板部、    １３ｃ：側板部、    １３ｄ：上ボルト孔、    １３ｅ：下ボルト孔
１４：ボルト、    １５：頭なしボルト、    １６：ナット
１７：シール部材、    １７ａ：生ゴム、    １７ｂ：合成ゴムの発泡体、    １７ｃ：離型紙、
【図１】
2006307569.tif 000003
【図２】
2006307569.tif 000004
【図３】
2006307569.tif 000005
【図４】
2006307569.tif 000006
【図５】
2006307569.tif 000007
【図６】
2006307569.tif 000008
【図７】
2006307569.tif 000009
【図８】
2006307569.tif 000010
【図９】
2006307569.tif 000011